(57)【要約】      （修正有）【課題】食事中会話、小型管楽器演奏、口元確認が必要な聴覚障害者対応、はっきりきした大声発生、マスクによる皮膚障害対応等のマスク装着不可の状況に於いて新型コロナ感染を予防し、杉花粉症の如く人前でのクシャミ、喘息の咳等を避ける苦難、三密下でのカラオケ、満員電車でのマスクの隙間からの漏れへの不安を低減する装身具を提供する。【解決手段】装身具は、頭から被る柔軟かつ透明の膜１で膜１内外の汚染空気の移動を制限し、安心空気出入口２を上部に装着し、必要に応じてＵＳＢ換気用強制ファン３により安心空気を上から下へ流し、冷却にも配慮し、膜１外部への手の出入れを自由にする為に、膜１にチューブを密封接続する。【選択図】図１Ｂ
0003234311.tif 000002
【実用新案登録請求の範囲】
【請求項１】
頭から被る膜に安心空気出入口を装着し膜内外の汚染空気の移動を制限する事により完璧安全を目指した装身具。
【請求項２】
換気用強制ファンをさらに有する事を特徴とする請求項１記載の装身具。
【請求項３】
必要に応じて膜に接続口をさらに有する事を特徴とする請求項１又は請求項２記載の装身具。
【考案の詳細な説明】
【技術分野】
【０００１】  本考案は新型コロナ等からの護身用装身具に係わるものである。
【背景技術】
【０００２】  一般生活では新型コロナ等からの護身にはマスクとかフェースシールド他高度対応型等でも鼻口周辺への密着・接近型のみであった。前記以外で存在する頭から被る防塵マスクは工事用で鼻口周辺への密着型であった。
【先行技術文献】
【特許文献】
【０００３】
【特許文献１】実用新案登録３２２８８２１号
【特許文献２】特開昭５６−第１６６８５９号
【特許文献３】特許第６７９２９２５号
【非特許文献】
【０００４】
【非特許文献１】東京新聞２０２０年８月２３日１２面
【非特許文献２】東京新聞２０２１年１月２１日２０面
【非特許文献３】東京新聞２０２１年２月６日１２面
【考案の概要】
【考案が解決しようとする課題】
【０００５】  食事とか食事中会話、小型管楽器演奏、口元確認必要な聴覚障害者対応、はっきりきした大声発生、マスクによる皮膚障害対応等の場面ではマスク装着不可下での新型コロナ感染予防対応は従来案では困難であった。上記以外でも杉花粉症の如く人前でのクシャミ、喘息の咳等を避ける苦難、三蜜下でのカラオケ、満員電車でのマスク隙間からの漏れへの不安への対応は困難であった。頭から被る膜により汚染空気の移動を遮断する事で前述の欠点を解決しようとするものである
【課題を解決するための手段】
【０００６】  本考案は頭から被る膜に安心空気出入口を装着し膜内外の汚染空気の移動を制限し必要に応じて換気用強制ファンにより安心空気を上から下へ流し、膜に接続口を設ける事により膜外部への手の出入れを自由にする他、別の空気出口を設ける事により問題を解決している。
【考案の効果】
【０００７】  上記の様に本考案の頭から被る膜による装身具は汚染空気の移動の制限を可能としたので食事とか食事中会話、小型管楽器演奏、口元確認必要な聴覚障害者対応、はっきりした大声発生、マスクによる皮膚障害時等マスク装着不可下での新型コロナ感染予防対応、それ以外でも杉花粉症の如く人前でのクシャミ、喘息の咳等を避ける苦難、三蜜下でのカラオケ、満員電車でのマスク隙間からの漏れへの不安を低減し換気用強制ファンによる涼しさの他、眼の粘膜からの感染低減にも寄与し、罹患者のウィルス拡散防止にも寄与し、今後人類が自然破壊を続ける事により発生する絶滅危惧種の持つ別ウィルスにもワクチン入手不問のまま低額での不安低減にも繋がり、人生で最重要儀式への出席拒否解除への希望にも繋がり、災害備蓄により安心に繋がる。
【図面の簡単な説明】
【０００８】
【図１Ａ】本考案１１を取付けた本考案の頭から被る１膜による装身具の食事中の実施例を示す一部切欠き斜視図である。
【図１Ｂ】図１Ａでの食事中に外部から料理を取り込み中の斜視図である。
【図２Ａ】食事中に外部から料理を取込み中の本考案の頭から被る１膜による装身具の本考案１１を取付けた実施例を示す写真である。
【図２Ｂ】図２Ａで本考案１内部での本考案１１の開口を閉じる写真である。
【図３Ａ】本考案１７を前面に取付けた本考案の頭から被る１膜による装身具のカラオケ中の実施例を示す一部切欠き斜視図である
【図３Ｂ】本考案３を外した場合で本考案７に伸縮材バンドで下からの汚染空気侵入を防ぎ下部に本考案１２を取付けた本考案の頭から被る１膜による装身具のカラオケ中の実施例を示す一部切欠き斜視図である。
【図４Ａ】本考案１７を取付けた本考案の頭から被る１膜による装身具の食事中の実施例を示す一部切欠き斜視図である。
【図４Ｂ】図４Ａで本考案３を外した斜視図である。
【図５Ａ】本考案の頭から被る１膜による装身具に本考案７に伸縮材バンドで下から汚染空気侵入を防ぎ下部に本考案１２を取付けた電車乗車中の実施例を示す斜視図である
【図５Ｂ】図５Ａで本考案３を外した斜視図である
【図６Ａ】頭部までに限定し首周辺に考案７での伸縮材で汚染空気浸入防止対応の本考案の頭から被る１膜による装身具の電車乗車中の実施例を示す斜視図である。
【図６Ｂ】図６Ａから本考案３を外した斜視図である。
【図７】様々な大きさの接続口を取付ける本考案１膜での適合位置を示した斜視図である。
【図８】図７に本考案６を介して本考案９，１０，１１，１２を取付けた斜視図である．
【図９】本考案１，２，３，４，６，１６の一部切欠き拡大斜視図である
【図１０Ａ】本考案６の斜視図である。
【図１０Ｂ】本考案６の断面図である。
【考案を実施するための形態】
【０００９】  汚染空気の移動の制限する為の頭から被る膜には安心空気を膜内側へ導入する為の安心空気出入口用の穴を膜の上部に設けフィルターを装着するか延長チューブを接続する。膜には以下必要に応じて他の接続口を設け膜外部への腕の出入れ用チューブや手元チューブ接続の他、フィルター付の空気出口を上部とは別に設け膜下端封鎖使用時にも対応する。必要に応じて安心空気を上から下へ流すため頭上には換気用強制ファン及び、幕と顔の間隔を保つ為のスペーサーを、膜と換気用強制ファンと共にクリップ接続する。形状・材質に関しては下記実施例以外にも様々なタイプがある。
【実施例】
【０００１０】  以下、各共通添付図に従って実施例を説明する。１膜は自然環境保持対応の為連続使用を基本とし柔軟かつ透明材で洗濯・消毒容易なごみ袋同等の安価材を使用する。１膜に取付ける全ての付属物は丸型非限定で６接続口を介しての脱着型の場合と固定接続型がある。新型コロナウィルスは空気中で下降するので２安心空気出入口は１膜の上部に設け３換気用強制ファンは２安心空気出入口近くにて安心空気の導入を補助する。７膜下端が閉鎖型の場合、空気出口用１２フィルターを設ける。
［図７、８］実施例を説明する。
・  ２安心空気出入口には固定接続型と６接続口を介しての脱着型があり両型共、接続部には１２フィルターのみ設置型の他、９安心空気出入口接続チューブ型があり接続部には１２フィルター取付け型と開放型があり両型共、チューブ先端の外側には開放型、１２フィルター取付け型、空気清浄機、エアコン等への接続型がある。又９安心空気出入口接続チューブにはストレート型と蛇腹型がある。尚以下実施例は全て６接続口を介しての脱着型１２フィルターのみで９安心空気出入口接続チューブ型を除く例を示す。
・  １３腕チューブ取付け位置には部材非取付け型と部材取付け型があり後者には固定接続方式と６接続口を介しての脱着型がある。脱着型は１０腕チューブ取付け型と非取付け型の密封式の選択が可能となる。密封式は１２フィルター設置と非設置の選択が可能となる。１０腕チューブ取付け型の場合、固定接続型と脱着型共通で腕チューブ先端の外側には手袋一体型と開放型があり開放型は汚染空気浸入防止の為、腕との隙間を伸縮材で塞ぐ。尚腕チューブにはストレート型と蛇腹型があり、１０腕チューブ不使用時は先端をクリップ等で密封し蛇腹型以外は、１膜の内側へ引き込む事が可能となる。
簡易対応として１０腕チューブを省略し１膜に腕通過用の穴を空け断面端部に紐を通す加工にて伸縮材紐での密封対応の場合もある。
・  １４空気出口取付け位置には部材非取付け型と１２フィルター取付け型があり後者には固定接続方式と６接続口を介しての脱着型がある。
・  １５手元チューブ取付け位置には部材非取付け型と部材取付け型があり後者には固定接続型と６接続口を介しての脱着型がある、両方式共通で１７フェースシールド式透明材型と１膜外部への手の移動も可能な１１手元チューブ型がある。１７フェースシールド式透明材型は透明度及び美観向上にも対応し易くなる。１１手元チューブ型は料理等の１膜内部への取込に対応し不使用時は先端部を１膜内部からクリップ、紐で括る方式と錘でテーブルに押当る方式にて密封し汚染空気浸入防止に対応する。簡易対応として１１手元チューブを省略し１膜に料理等通過用の穴を空け断面端部に紐を通す加工にて紐縛りとクリップでの密封対応の場合もある。
・  ７膜下端は開放型と封鎖型がある。封鎖型には首・胴体との隙間を伸縮材で塞いだり、紐で括る方式と衣類に引込む方式があり１１手元チューブ型にも対応する。開放型は食事のお膳が１１手元チューブ型より大きい場合に７膜下端より取込むのに便利である。【０００１２】［図９］実施例を説明する
２安心空気出入口に６接続口を介して１２フィルターＮ９５使用の例である。３換気強制ファンは市販のＵＳＢ充電型で送風方向は上から下へとなる。充電器は身体からの配線接続使用も可能である。ファン音は僅かだが帽子は音軽減用にもなりファンは涼しさにも効果がある。１幕と顔の間隔を保つ為の１６スペーサーを、安定設置の為に基本的に帽子を介して１膜と３換気強制ファンと共にクリップ接続する。
１６スペーサーは１膜が軽量の為素材は高強度不要で軽量材とする。【０００１３】［図１０］実施例を説明する
６接続口は丸型の場合で１膜と２安心空気出入口、１０腕チューブ、１１手元チューブ、空気出口用１２フィルターを６接続口外周で重ねあわせ８接合バンドで締付ける後付け脱着可能の補助材である。素材は軽量の固形材である。６接続口使用以外に溶着等で固定接続の場合もある。【０００１４】［図１Ａ．１Ｂ，２Ａ，２Ｂ］実施例を説明する
１１手元チューブを取付けた１膜を頭から被り食事中の例で１１手元チューブを１Ａは閉じた状態で１Ｂ、２Ａ、は料理等の１膜内部への取込中を示し２Ｂは１膜内部で１１手元チューブ先端部を紐で括りクリップで閉じる場面を示す。両例共７膜下端は開放状態を示すが別に胴体との隙間の封鎖型もある。、【０００１５】［図３Ａ．３Ｂ］実施例を説明する
１膜を頭から被りカラオケ中の例の違いを示している。３Ａは６接続口を介して１１手元チューブを設けているが３Ｂは除いている。３Ａは３換気強制ファンを設けているが３Ｂは除いている。３Ａの７膜下端は開放しているが３Ｂは胴体との隙間を伸縮材で塞いでおり空気出口用１２フィルターを設けている。【０００１６】［図４Ａ．，４Ｂ］実施例を説明する
１膜を頭から被り食事中の例の違いを示している。４Ａは１７フェースシールド式透明材を固着しているが４Ｂは除いている。４Ａは３換気強制ファンを設けているが４Ｂは除いている。【０００１７】［図５Ａ．５Ｂ］実施例を説明する
１膜を頭から被る電車乗車中の例の違いを示している。６接続口を介しての１３腕チューブと空気出口用１２フィルター取付けと７膜下端を伸縮材で塞いでいるのは両例共同じであるが３換気強制ファンと１６スペーサーが５Ａには設けているが５Ｂは除いている。【０００１８】［図６Ａ．６Ｂ］実施例を説明する
首から上のみで１膜を頭から被る電車乗車中の例の違いを示している。６接続口を介しての空気出口用１２フィルター取付けと７膜下端を伸縮材で塞いでいるのは両例共同じであるが、１７フェースシールド式透明材を６Ａは丸型で６接続口を介しての取付けだが６Ｂは角型で固定接続となっているのと３換気強制ファンと１６スペーサーを６Ａは設けているが６Ｂはは除いている。尚両例共、７膜下端の皮膚接触部は被れ防止の為、天然素材でカバーしている。
【符号の説明】
【０００１９】１    膜
２    安心空気出入口
３    換気強制ファン
４    ３と１６を接続するクリップ
５    帽子
６    接続口
７    膜下端
８    接合バンド
９    安心空気入口接続チューブ
１０  腕チューブ
１１  手元チューブ
１２  フィルター
１３  腕チューブ取付け位置
１４  空気出口取付け位置
１５  手元チューブ取付け位置
１６  スペーサー
１７  フェースシールド式透明材
【図１Ａ】
0003234311.tif 000003
【図１Ｂ】
0003234311.tif 000004
【図２Ａ】
0003234311.tif 000005
【図２Ｂ】
0003234311.tif 000006
【図３Ａ】
0003234311.tif 000007
【図３Ｂ】
0003234311.tif 000008
【図４Ａ】
0003234311.tif 000009
【図４Ｂ】
0003234311.tif 000010
【図５Ａ】
0003234311.tif 000011
【図５Ｂ】
0003234311.tif 000012
【図６Ａ】
0003234311.tif 000013
【図６Ｂ】
0003234311.tif 000014
【図７】
0003234311.tif 000015
【図８】
0003234311.tif 000016
【図９】
0003234311.tif 000017
【図１０Ａ】
0003234311.tif 000018
【図１０Ｂ】
0003234311.tif 000019
【手続補正書】
【提出日】令和3年4月26日(2021.4.26)
【手続補正１】
【補正対象書類名】明細書
【補正対象項目名】０００９
【補正方法】変更
【補正の内容】
【０００９】  汚染空気の移動の制限する為の頭から被る膜には安心空気を膜内側へ導入する為の安心空気出入口用の穴を主に膜の上部に設けフィルターを装着するか延長チューブを接続する。膜には以下必要に応じて他の接続口を設け膜外部への腕の出入れ用チューブや手元チューブ接続の他、フィルター付の空気出口を上部とは別に設け膜下端封鎖使用時にも対応する。必要に応じて安心空気を上から下へ流すため頭上には換気用強制ファン及び、幕と顔の間隔を保つ為のスペーサーを、膜と換気用強制ファンと共にクリップ接続する。形状・材質に関しては下記実施例以外にも様々なタイプがある。
【手続補正書】
【提出日】令和3年6月30日(2021.6.30)
【手続補正１】
【補正対象書類名】実用新案登録請求の範囲
【補正対象項目名】請求項１
【補正方法】変更
【補正の内容】
【請求項１】
頭から被る袋状の膜に安心空気出入口を装着し膜内外の汚染空気の移動を制限する事により完璧安全を目指した装身具。